(57)【要約】【課題】スクリーン布の巻き取り状態での弛み発生を防止できて引き出し状態でスクリーン布に皺が発生するのを防止し得る折り畳み式スクリーン用巻き取り装置を提供する。【解決手段】この発明の巻き取り装置３０は、横長ケース１に対し回動自在に取り付けられたロール１３と、前記ロール１３におけるスクリーン布２の巻き取り開始位置Ｐに向かうスクリーン布２に当接することによって該スクリーン布２をロール１３に向けて案内するガイド片３１と、を備えることを特徴とする。【選択図】図７
2008286981.tif 000002
【特許請求の範囲】
【請求項１】
横長ケースに対し回動自在に取り付けられたロールと、
前記ロールにおけるスクリーン布の巻き取り開始位置に向かうスクリーン布に当接することによって該スクリーン布をロールに向けて案内するガイド片と、
を備えることを特徴とする折り畳み式スクリーン用巻き取り装置。
【請求項２】
前記ガイド片の上下方向の一端側が、前記横長ケースにおける前記ロールの上方向又は下方向への対応領域内に固定され、前記ガイド片における上下方向の中間領域の一部が、前記ロールとの間でスクリーン布を当接状態に挟み込むように構成されている請求項１に記載の折り畳み式スクリーン用巻き取り装置。
【請求項３】
前記ガイド片における前記ロールとの対向面は、該ガイド片の下端側から上端側に向けて前記ロール側に曲がる曲面に形成されている請求項１または２に記載の折り畳み式スクリーン用巻き取り装置。
【請求項４】
前記ガイド片は、略上下方向において撓み変形可能な合成樹脂製薄肉板からなる請求項１〜３のいずれか１項に記載の折り畳み式スクリーン用巻き取り装置。
【請求項５】
前記ガイド片の上下方向における非固定側の端縁は、スクリーン布の張設状態において、前記横長ケースにおけるロールに近接した構成部材の上下方向における内方側の端縁よりも内方側の位置にある請求項２〜４のいずれか１項に記載の折り畳み式スクリーン用巻き取り装置。
【請求項６】
請求項１〜５のいずれか１項に記載の巻き取り装置を備えることを特徴とする折り畳み式スクリーン。
【発明の詳細な説明】
【技術分野】
【０００１】
この発明は、企業やオフィス、あるいは地域や家庭などで使用されるスライド映写機、フィルム映写機、ビデオ映写機、液晶プロジェクタ、ＯＨＰなどの各種映写機器の映像を映写するために用いられる折り畳み式スクリーンに組み込まれて使用される折り畳み式スクリーン用巻き取り装置及び折り畳み式スクリーンに関する。
【背景技術】
【０００２】
この種のスクリーンとしては、横長ケース内に配置されたロールにスクリーン布が巻き取り可能であると共に、該スクリーン布を背面側から支持する伸縮可能なパンタグラフ機構が横長ケース内に収容された構成のものが公知である（特許文献１参照）。使用する際に、スクリーン布の上端を引き上げ操作すると、パンタグラフ機構が伸長しつつスクリーン布が張設支持され、一方、スクリーン布の上端を引き下げ操作すると、スクリーン布がロールに巻き取られると共にパンタグラフ機構が折り畳まれてこれらが横長ケース内に収納される。
【特許文献１】特開２０００−１３１７６６号公報
【発明の開示】
【発明が解決しようとする課題】
【０００３】
しかしながら、上記従来技術では、スクリーン布をロールに巻き取らせて横長ケース内に収容した際に、スクリーン布のロール巻き状態において弛みを生じやすいという問題があった。このようにスクリーン布の巻き取り状態に弛みが生じると皺になりやすく、このためにスクリーン布が引き出された状態時において皺が発生してスクリーン布に良好な映像を映写することができない。
【０００４】
この発明は、かかる技術的背景に鑑みてなされたものであって、スクリーン布の巻き取り状態での弛み発生を防止できて、引き出し状態でスクリーン布に皺が発生するのを防止し得る折り畳み式スクリーン用巻き取り装置及び折り畳み式スクリーンを提供することを目的とする。
【課題を解決するための手段】
【０００５】
前記目的を達成するために、本発明は以下の手段を提供する。
【０００６】
［１］横長ケースに対し回動自在に取り付けられたロールと、
前記ロールにおけるスクリーン布の巻き取り開始位置に向かうスクリーン布に当接することによって該スクリーン布をロールに向けて案内するガイド片と、
を備えることを特徴とする折り畳み式スクリーン用巻き取り装置。
【０００７】
［２］前記ガイド片の上下方向の一端側が、前記横長ケースにおける前記ロールの上方向又は下方向への対応領域内に固定され、前記ガイド片における上下方向の中間領域の一部が、前記ロールとの間でスクリーン布を当接状態に挟み込むように構成されている前項１に記載の折り畳み式スクリーン用巻き取り装置。
【０００８】
［３］前記ガイド片における前記ロールとの対向面は、該ガイド片の下端側から上端側に向けて前記ロール側に曲がる曲面に形成されている前項１または２に記載の折り畳み式スクリーン用巻き取り装置。
【０００９】
［４］前記ガイド片は、略上下方向において撓み変形可能な合成樹脂製薄肉板からなる前項１〜３のいずれか１項に記載の折り畳み式スクリーン用巻き取り装置。
【００１０】
［５］前記ガイド片の上下方向における非固定側の端縁は、スクリーン布の張設状態において、前記横長ケースにおけるロールに近接した構成部材の上下方向における内方側の端縁よりも内方側の位置にある前項２〜４のいずれか１項に記載の折り畳み式スクリーン用巻き取り装置。
【００１１】
［６］前項１〜５のいずれか１項に記載の巻き取り装置を備えることを特徴とする折り畳み式スクリーン。
【発明の効果】
【００１２】
［１］の発明によれば、ロールにおけるスクリーン布の巻き取り開始位置に向かう未巻き取り状態のスクリーン布にガイド片が当接することによって該スクリーン布がロールに向けて案内されるので、スクリーン布は弛みなくロールに巻き取られる、即ちスクリーン布の巻き取り状態において弛みが生じることがない。即ち、スクリーン布がロールに巻き取られる際に膨らんだりしても、ガイド片によってロールに向けてスクリーン布が案内されるので、スクリーン布は弛みなくロールに巻き取られる。従って、スクリーン布をロールから引き出した状態時において、該スクリーン布に皺が発生することがなく、スクリーン布に良好な映像を映写することができる。
【００１３】
［２］の発明では、ガイド片における上下方向の中間領域の一部が、ロールとの間でスクリーン布を当接状態に挟み込むように構成されているから、巻き取り時のスクリーン布の弛みの発生を十分に防止できる。
【００１４】
［３］の発明では、ガイド片におけるロールとの対向面は、該ガイド片の下端側から上端側に向けてロール側に向けて曲がる曲面に形成されているから、ガイド片のスクリーン布に対する巻き取りガイド機能がより効果的に発揮されるものとなり、巻き取り時のスクリーン布の弛みの発生を一層十分に防止できる。
【００１５】
［４］の発明では、ガイド片は、略上下方向において撓み変形可能な合成樹脂製薄肉板からなる構成であるから、巻き取り途中においてガイド片にスクリーン布が当接している状態時においてその撓み変形を復帰させようとするガイド片の復帰力によってスクリーン布をロール側に押圧することが可能となり、これによりスクリーン布をロール側に向けて案内するガイド機能をさらに向上させることができて、巻き取り時のスクリーン布の弛みの発生をより一層十分に防止できる。
【００１６】
［５］の発明では、ガイド片の上下方向における非固定側の端縁は、スクリーン布の張設状態において、横長ケースにおけるロールに近接した構成部材の上下方向における内方側の端縁よりも内方側の位置にあるように構成されているから、スクリーン布がロールに巻き取られる際に前記構成部材に接触してスクリーン布に傷が付くようなことがなく、従ってスクリーン布に良好な映像を映写することができる。
【００１７】
［６］の発明（折り畳み式スクリーン）では、スクリーン布をロールから引き出した状態時においてスクリーン布に皺が発生することがないから、スクリーン布に良好な映像を映写することができる。
【発明を実施するための最良の形態】
【００１８】
以下、この発明の一実施形態を図面に基づいて説明する。
【００１９】
図１及び図２は、それぞれこの発明の一実施形態に係る折り畳み式スクリーン用巻き取り装置が適用された折り畳み式スクリーンを示す背面図及び右側面図である。この折り畳み式スクリーンは、横長ケース１と、スクリーン布２と、パンタグラフ機構３と、スクリーン布用弾性伸縮部材７，７と、左右両側の関節補強用リンク体８，８と、巻き取り装置３０とを備えている。
【００２０】
前記横長ケース１は、例えば金属や合成樹脂等で形成された上面開放の横長の（左右方向に沿って長い）容器であり、本体ケース１１とカバー１２とからなる。
【００２１】
前記本体ケース１１内に巻き取り装置３０が取り付けられている。前記巻き取り装置３０は、前記本体ケース１１に対し回転自在に取り付けられたロール１３と、前記本体ケース１１の底面における前記ロール１３の下方位置に固定されたガイド片３１とを備えてなる。
【００２２】
前記スクリーン布２は、前記ロール１３に巻き取られるようになっており、その上端は、図６に示すように、左右方向に延ばされた横桟２０の下面に上端連結具１４を介して取り付けられている。
【００２３】
前記スクリーン布２には、図示しないスプリングにより、常時巻き取り方向への復帰弾性力が付与されており、前記収容状態でのスクリーン布２の引き出し端を前記復帰弾性力に抗して上方へ引き上げると、該スクリーン布２が横長ケース１内のロール１３から引き出されるようになっている。
【００２４】
前記パンタグラフ機構３は、図１〜３に示すように、下部菱形リンク構体４と、逆Ｖ字形補強部５と、上部菱形リンク構体６とを備えている。
【００２５】
前記下部菱形リンク構体４は、例えば角パイプ等からなる４個のリンク４１ａ，４１ｂ，４１ｃ，４１ｄが同一平面上で菱形の各辺を構成するように配列されてなる。
【００２６】
前記下部菱形リンク構体４における上側の左側リンク４１ａの下端部と下側の左側リンク４１ｃの上端部とは連結部材４２により枢支・連結されており、また上側の右側リンク４１ｂの下端部と下側の右側リンク４１ｄとは連結部材４３により枢支・連結されている（図３参照）。
【００２７】
また、下部菱形リンク構体４における上側の左右両側リンク４１ａ，４１ｂの各上端部は、連結部材４４を介して互いに枢支・連結され、前記下部菱形リンク構体４における下側の左右両側リンク４１ｃ，４１ｄの各下端部４５は、連結部材４５を介して互いに枢支・連結されると共に、前記横長ケース１の中央部に取付固定された軸支部４６に連結されている（図３参照）。
【００２８】
前記左側の連結部材４２としては、上側の左側リンク４１ａと下側の左側リンク４１ｃとが同一平面上に位置しているから（図２、３参照）、図４（Ａ）（Ｂ）に示すような連結体４２１，４２２が使用されている。
【００２９】
図４（Ａ）に示すように、一方の連結体４２１は、リンク取り付け部４２１ａの先端に、軸孔４２１ｂを有する雄連結片４２１ｃが形成されたものからなり、他方の連結体４２２は、リンク取り付け部４２２ａの先端に、軸孔４２２ｂを有する雌連結片４２２ｃが形成されたものからなる。
【００３０】
前記一方の連結体４２１の雄連結片４２１ｃを他方の連結体４２２の嵌合溝４２２ｄに嵌入した状態で、軸体４２３を軸孔４２１ｂ，４２２ｂに挿入して該軸体４２３にワッシャー４２４を取り付けることにより、両方のリンク取り付け部４２１ａ，４２２ａが同一平面上に位置して連結される。これにより、図４（Ｂ）に示すように、上側の左側リンク４１ａと下側の左側リンク４１ｃとが同一平面上で回動可能に枢支・連結されている。
【００３１】
なお、前記右側の連結部材４３についても、上側の右側リンク４１ｂと下側の右側リンク４１ｄとが同一平面上に位置していることから（図３参照）、図４に示すものと同じ連結体４２１，４２２が使用されている。
【００３２】
また、前記上側の連結部材４４についても、上側の左側リンク４１ａと上側の右側リンク４１ｂとが同一平面上に位置していることから（図３参照）、前記連結部材４２と略同様の構造をもった連結体が用いられている。
【００３３】
また、前記下側の連結部材４５についても、下側の左右両側リンク４１ｃ，４１ｄの各下端部が同一平面上に配置していることから（図３参照）、前記連結部材４２と略同様の構造をもった連結体が用いられている。
【００３４】
勿論、前記連結部材４２，４３，４４、４５は、上記構成に特に限定されるものではなく、適宜任意のものを採用可能である。
【００３５】
前記逆Ｖ字形補強部５は、例えば角パイプ等からなる一対の梁部材５１，５２を有する。これら梁部材５１，５２が前記下部菱形リンク構体４の後側の同一平面上に逆Ｖ字形に配置されるとともに、前記梁部材５１，５２の各略中間部がそれぞれ前記下部菱形リンク構体４における下側の左右両側リンク４１ｃ，４１ｄにピン５１１，５２１により枢支されている（図３参照）。
【００３６】
更に、前記梁部材５１，５２の各上端同士が連結部材５３により枢支・連結されており、また前記梁部材５１，５２の各下端に設けられたローラ５４，５５は、それぞれ、図６〜８に示すように、本体ケース１１に対しその左右方向に沿って設けられた車輪用ガイドレール５６に嵌合された車輪５７に軸体５８を介して連結されており、これにより、梁部材５１，５２の下端部５４，５５は、パンタグラフ機構３の折り畳み動作や伸長動作に応じて左右方向へ変移できるように構成されている。
【００３７】
勿論、梁部材５１，５２の各下端部５４，５５をガイドする構造は、上記の構成に限定されるものではなく、例えば、本体ケース１１の底面に設けられたガイドレールにガイドされるように構成されていても良い。
【００３８】
前記上部菱形リンク構体６は、例えば角パイプ等からなる４個の短尺リンク６１ａ，６１ｂ，６１ｃ，６１ｄが、下部菱形リンク構体４の後側の同一平面上において、即ち前記逆Ｖ字形補強部５と同一平面上に位置して、菱形の各辺を構成するように配列されてなる。また、前記上部菱形リンク構体６は、その下部側が下部菱形リンク構体４の上部側に重なる状態で該下部菱形リンク構体６の伸縮動作に連動するように接続されている。
【００３９】
前記上部菱形リンク部構体６における上側の左右両側リンク６１ａ，６１ｂの各下端部は、前記下側の左右両側リンク６１ｃ，６１ｄの各上端部に対して、それぞれ連結部材６２，６３により枢支・連結され、前記上側の左右両側リンク６１ａ，６１ｂの各上端部同士は、連結部材６４により枢支・連結され、該連結部材６４は、スクリーン布２の上端が接続された横桟２０の下面に固定されている（図１、３参照）。
【００４０】
また、前記上部菱形リンク部構体６における下側の左右両側リンク６１ｃ，６１ｄは、それぞれ下部菱形リンク構体４における上側の左右両側リンク４１ａ，４１ｂの各上部側に対してピン６６，６７を介して枢支・連結され、前記下側の左右両側リンク６１ｃ，６１ｄの各下端部同士は、連結部材６５を介して枢支・連結されている（図１、３参照）。
【００４１】
前記連結部材６２，６３，６４，６５としては、上部菱形リンク部構体６のリンク６１ａ，６１ｂ，６１ｃ，６１ｄが全て同一平面上に位置するから（図３参照）、図４に示す連結部材４２と同様のもの（図示は省略する）が用いられている。
【００４２】
前記スクリーン用弾性伸縮部材７，７は、図１に示すように、各下端部が前記ケース１にピン７１１，７１１を介して枢支・連結されており、また各上端部が下部菱形リンク構体４における下側の左右両側リンク４１ｃ，４１ｄの略中央部にピン７１２，７１２を介してそれぞれ枢支・連結されている。
【００４３】
各スクリーン用弾性伸縮部材７は、伸縮パイプ７１を有しており、その内部には、スプリング（図示せず）が収縮状態で組み込まれている。このスプリングによる上方へのばね力により、スクリーン布２の引き上げ操作が容易に行えるようになっている。
【００４４】
前記左右両側の関節補強用リンク体８，８は、前記下部菱形リンク構体４における左右の連結部材４２，４３を補強するものである。
【００４５】
左側の関節補強用リンク体８は、前記上部菱形リンク構体６と同一平面上に配置された上下一対のリンク８１１，８１２を備えている（図１〜３参照）。
【００４６】
これら上下一対のリンク８１１，８１２は、前記下部菱形リンク構体４における左側の連結部材４２を内側において跨ぐ態様でくの字形に配設されるとともに、互いに枢支部８２で枢支・連結されている。また、前記上側リンク８１１の上端部が前記下部菱形リンク構体４における上側の左側リンク４１ａの下端部にピン８３を介して枢支・連結される一方、前記下側リンク８１２の下端部が下部菱形リンク構体４における下側の左側リンク４１ｃの上端部にピン８４を介して枢支・連結されている（図１、３参照）。
【００４７】
右側の関節補強用リンク体８も、前記上部菱形リンク構体６と同一平面上に配設された上下一対のリンク８１１，８１２を備えている（図１、３参照）。
【００４８】
これら上下一対のリンク８１１，８１２は、前記下部菱形リンク構体４における右側の連結部材４３を内側において跨ぐ態様でくの字形に配設されるとともに、互いに枢支部８２を介して枢支・連結されている。また、前記上側リンク８１１の上端部が前記下部菱形リンク構体４における上側の右側リンク４１ｂの下端部にピン８３を介して枢支・連結される一方、前記下側リンク８１２の下端部が下部菱形リンク構体４における下側の右側リンク４１ｄの上端部にピン８４を介して枢支・連結されている（図１、３参照）。
【００４９】
前記左右両側の関節補強用リンク体８，８は、前記パンタグラフ機構３の折り畳み状態において前記上部菱形リンク構体６と干渉し合わない大きさに設定されている、即ち前記上部菱形リンク構体６の折り畳み動作を妨げない大きさに設定されている。
【００５０】
なお、図１及び図２において、９は、ケース１の下面に設けられた、床面に安定設置するための設置部材である。
【００５１】
次に、前記巻き取り装置３０の具体的構成について図６〜９に基づいて説明する。
【００５２】
図６において、この巻き取り装置３０は、前記スクリーン布２をロール状に巻き取るためのロール１３と、スクリーン布２をロール１３に向けて案内するガイド片３１と、を備えている。
【００５３】
前記ガイド片３１は、前記ロール１３におけるスクリーン布２の巻き取り開始位置Ｐより上方にあるスクリーン布２に当接して該スクリーン布２を背面側から弾性的に前方へ押圧することでスクリーン布２のロール１３への巻き取りをガイドするものである。本実施形態では、前記ガイド片３１は、合成樹脂（例えばポリエチレンテレフタレート等）製の薄肉板からなるが、特にこのような素材や構成に限定されるものではない。本実施形態では、ガイド片３１は、合成樹脂製薄肉板からなるので、該ガイド片３１は、略上下方向において撓み変形が可能となされている。
【００５４】
前記ガイド片３１におけるロール１３との対向面（前面）３１ｃは、該ガイド片３１の上下方向の下端側から上端側に向けてロール１３側に曲がる湾曲面に形成されている（図６〜９参照）。また、前記ガイド片３１は、図９に示すように、左右方向に延ばされた合成樹脂製薄肉板からなり、その左右方向の長さは、前記ロール１３の左右方向（軸線方向）の全長と略同じ長さに設定されている。
【００５５】
前記ガイド片３１は、前記ロール１３の後方の近接位置に配置されている。即ち、前記ガイド片３１は、前記下部菱形リンク構体４の軸支部４６と前記ロール１３との間に配置されており、その下端部３１ｂが、横長ケース１の底面におけるロール１３の下方位置に固定されている（図６〜８参照）。また、前記ガイド片３１の上端３１ａは、前記横長ケース１におけるロール１３に近接した構成部材である軸支部４６の上端４６ａの高さレベルよりも高い位置にある（図６〜８参照）。前記ガイド片３１における上下方向の中間領域の一部が、前記ロール１３における巻き取り開始位置Ｐ又はその近傍位置で該ロール１３との間でスクリーン布２を当接状態に挟み込むように構成されている（図６〜８参照）。
【００５６】
また、前記ガイド片３１の上端３１ａ側は、スクリーン布２の背面に鋭利に当接することのないように、背面側に反り返るカール状に形成されている（図６〜９参照）。
【００５７】
次に、上記構成の折り畳み式スクリーンの使用手順を説明する。
【００５８】
持ち運びや格納等のためにスクリーン布２をケース１内に収納する際には、ロール１３の巻き取り付勢力によってスクリーン布２が巻き取られるのに伴ってパンタグラフ機構３が折り畳まれ始め、下部菱形リンク構体４、逆Ｖ字補強部５、上部菱形リンク構体６、左右両側の関節補強用リンク体８，８、及び弾性伸縮部材７，７が折り畳まれてこれらが前記横長ケース１内に纏まって収容される（図５、８参照）。
【００５９】
また、折り畳み式スクリーンを使用する場合には、横長ケース１を床等の設置面に設置部材９を介して置いた状態で、スクリーン布２の上端の横桟２０等を掴んで引き上げると、ロール巻き状態のスクリーン布２がロール１３から引き出される。
【００６０】
この時、前記折り畳み状態のパンタグラフ機構３における上部菱形リンク構体６及び下部菱形リンク構体４が図５（Ｂ）に示すように伸長しはじめ、さらに図５（Ｃ）に示すように起立するように上方へ伸長される。
【００６１】
また、逆Ｖ字形補強部５における左右の梁部材５１，５２における枢支部（ピン）５１１，５２１の位置が上昇する一方、一対の梁部材５１，５２の各下端が接近変移するから、該逆Ｖ字形補強部５が鋭角に起立する。これにより、下部菱形リンク構体４における下側の左右両側リンク４１ｃ，４１ｄの動きが同調して円滑に伸長する。
【００６２】
また、この時、弾性伸縮部材７，７により、下側の左右両側リンク４１ｃ，４１ｄが押し上げられるから、上記伸長動作が一層スムーズに行われる（図１参照）。
【００６３】
しかして、前記スクリーン布２を最高位置まで引き上げれば、図１及び図２に示すように、上部菱形リンク構体６及び下部菱形リンク構体４が完全に起立するから、スクリーン布２がその引き出し位置に保持されることになる。
【００６４】
ここで、パンタグラフ機構３は、前記下部菱形リンク構体４の上部に上部菱形リンク構体６を接続した上下２段構成であるから、スクリーン布２の最上端レベル位置を高く設定することができる（即ちスクリーン布２を上下方向に長く設計できる）。更に、このようにスクリーン布２を縦長に設計しつつパンタグラフ機構３の左右の幅寸法を抑制できるので、パンタグラフ機構３を折り畳んだ格納状態で横長ケース１の左右両側からパンタグラフ機構３の一部がはみ出すのを回避できる。
【００６５】
更に、本実施形態では、前記左右両側の関節補強用リンク体８，８により、前記下部菱形リンク構体４における左側の上下のリンク４１ａ，４１ｃ間及び右側の上下のリンク４１ｃ，４１ｄ間に対する突っ張り作用が働くと共に、荷重が左右の関節補強用リンク体８，８にも分散されるので、左右の連結部材４２，４３が十分に補強され、これによりパンタグラフ機構３が下部菱形リンク構体４と上部菱形リンク構体６とからなる上下２段構成であっても、該連結部４２，４３を十分に支持補強することができて、パンタグラフ機構３の前傾変形を防止することができる。即ち、スクリーン布２を適性状態に支持することができる。
【００６６】
なお、前記左右両側の関節補強用リンク体８，８は、前記左右の連結部材４２，４３を跨ぐ位置にあれば、前後方向の配置関係については特に制約されないが、上記実施形態のように下部菱形リンク構体４の後面側において上部菱形リンク構体６及び前記逆Ｖ字形補強部５と同一平面上に配置されるのが好ましく、この場合には、左右両側の関節補強用リンク体を下部菱形リンク構体４の前側に配置した場合等と比較して、パンタグラフ機構３の前傾変形をより一層効果的に抑制することができ、しかもパンタグラフ機構３の前後方向の厚みが小さくなり全体の薄形化・コンパクト化を図ることもできる。
【００６７】
ところで、一般に、スクリーン布２がロール１３に巻き取られる際には、ロール巻回状態のスクリーン布２に弛みが生じやすいが、本発明においては、前記ロール１３の後側に位置してスクリーン布２の背面に当接するガイド片３１が設けられているから、スクリーン布２がロール１３に巻き取られる直前で該ガイド片３１で前方へ押された状態になり、これによりスクリーン布２は弛みのない状態でロール１３に巻き取られる（図８参照）。このため、使用時にスクリーン布２をロール１３から引き出した状態時において、該スクリーン布２に皺等が発生せず、スクリーン布２に良好な映像を映写することができる。
【００６８】
しかも、上記実施形態では、ガイド片３１の上下方向の中間領域の一部が、前記スクリーン布２の巻き取り開始位置Ｐ又はその近傍位置で、該ロール１３との間でスクリーン布２を当接状態に挟み込むように構成されているから、前記巻き取り時のスクリーン布２の弛みは十分に防止される。
【００６９】
更に、上記実施形態では、ガイド片３１のロール対向面３１ｃが、該ガイド片３１の上下方向の下端側から上端側に向けてロール１３側に曲がる湾曲面に形成されているから（図６〜９参照）、ガイド片３１のスクリーン布２に対する巻き取りガイド機能が十分に発揮され、もってスクリーン布２に皺が生じるのが確実に防止される。
【００７０】
また、従来、一般に、図６の引き出し状態のスクリーン布２をロール１３に巻き取って収納するのに伴ってパンタグラフ機構３が折り畳まれる時、巻き取り途中のスクリーン布２が、図７の実線で示すような状態よりもさらに背面側に大きく膨らむ傾向が強く、このようなスクリーン布２の大きな膨らみ部分が、下部菱形リンク機構４の構成部材である軸支部４６の上端４６ａ等に接触して擦れてしまって、スクリーン布２に上下方向に沿った傷が付くおそれがあった。なお、図７における２点鎖線は、図６の引き出された張設状態でのスクリーン布２の位置（初期位置）を示したものである。
【００７１】
この点に関し、本発明では、スクリーン布２がロール１３に巻き取られる際に、スクリーン布２の巻き取り開始位置Ｐよりも上方位置でスクリーン布２の背面にガイド片３１が当接していることにより、スクリーン布２の背面側への大きな膨らみが抑制されることに加えて、前記ガイド片３１の上端３１ａが前記構成部材４６の上端４６ａよりも高い位置にあるように設計されているから、スクリーン布２がロール１３に巻き取られる途中で構成部材４６の上端４６ａに当接して擦れてスクリーン布２に傷が付くようなことがなく、従ってスクリーン布２に良好な映像を映写することができる。
【００７２】
なお、上記実施形態では、ガイド片３１の左右方向の長さは、ロール１３の左右方向（軸線方向）の長さと略同一に設定されていたが、特にこのような構成に限定されるものではなく、例えば、ロール１３の左右方向の長さよりも短く設定されていても良いし、或いはガイド片３１をロール１３の左右方向で複数に分割した構成とし、これら複数のガイド片を左右方向に適当な間隔をあけて配置した構成を採用しても良い。
【００７３】
また、上記実施形態では、ロール１３を供えた横長ケース１は、上下方向に張設されたスクリーン布２に対してその下方側に配置された構成が採用されているが、特にこのような構成に限定されるものではなく、例えば、ロール１３を供えた横長ケース１は、上下方向に張設されたスクリーン布２に対してその上方側に配置された構成が採用されても良いし、或いはロール１３を供えた横長ケース１は、上下方向に張設されたスクリーン布２に対してその上方側及び下方側の両方にそれぞれ１つずつ配置された構成が採用されても良い。
【図面の簡単な説明】
【００７４】
【図１】この発明の一実施形態に係る巻き取り装置が適用された折り畳み式スクリーンを示す背面図である。
【図２】同じく折り畳み式スクリ−ンを示す右側面図である。
【図３】同じく折り畳み式スクリ−ンにおけるパンタグラフ機構を背面側から見た斜視図である。
【図４】（Ａ）はリンク同士を連結・枢支するのに使用する連結部材を示す分解斜視図、（Ｂ）は同じく使用状態の連結部材の側面図である。
【図５】折り畳み式スクリーンの引き出しに伴うパンタグラフ機構の動作を説明する説明図である。
【図６】折り畳み式スクリーンを、スクリーン布を引き出した張設状態で示す右側断面図である。なお、この図６において、２点鎖線は、スクリーン布を巻き取り終了した状態時におけるガイド片３１の位置を示したものである。
【図７】折り畳み式スクリーンを、巻き取りの途中状態で示す右側断面図である。
【図８】折り畳み式スクリーンを、巻き取り終了した後の格納状態で示す右側断面図である。
【図９】ガイド片を示す前面側からの斜視図である。
【符号の説明】
【００７５】
１…横長ケース
２…スクリーン布
１３…ロール
３０…巻き取り装置
３１…ガイド片
３１ａ…ガイド片の上端
３１ｂ…ガイド片の下端部
３１ｃ…ガイド片のロール対向面（前面）
４６…ロールに近接した構成部材
４６ａ…構成部材の上端
Ｐ…巻き取り開始位置
【図１】
2008286981.tif 000003
【図２】
2008286981.tif 000004
【図３】
2008286981.tif 000005
【図４】
2008286981.tif 000006
【図５】
2008286981.tif 000007
【図６】
2008286981.tif 000008
【図７】
2008286981.tif 000009
【図８】
2008286981.tif 000010
【図９】
2008286981.tif 000011